(57)【要約】【課題】  シャワーヘッドが浴室内に固定設置され残水処理機構を備えたシャワー装置において、給水管内に残留した湯水を迅速かつ確実に排出でき、使用者が冷たい残水を浴びることを防止できるとともに、シャワー吐水の使用感を損なうことなく、さらにシャワーヘッドからの断続的な水垂れを抑制できるシャワー装置を提供することを目的とする。【解決手段】  浴室内に固定設置されたシャワーヘッドと、給水源および給湯源からの湯水を所望の吐水温度の湯水に混合し、開閉弁によって湯水を吐止水する湯水混合装置と、シャワーヘッドと湯水混合装置を接続する給水管と、給水管中途より分岐して配設された排水管と、シャワーヘッドでの吐止水に応じて湯水の流れを切換える残水処理機構とを備えたシャワー装置において、残水処理機構からシャワーヘッドまでの給水管中途に吸気手段を設けたことを特徴とするシャワー装置とした。【選択図】  図１
2005213793.tif 000002
【特許請求の範囲】
【請求項１】
浴室内に固定設置されたシャワーヘッドと、前記シャワーヘッドに湯水を供給する給水管と、前記給水管の中途より分岐して配設された排水管と、前記シャワーヘッドへの吐止水に応じて湯水の流れを、吐水時に前記シャワーヘッド、止水時に前記排水管へ切換える残水処理機構とを備えたシャワー装置において、前記残水処理機構から前記シャワーヘッドまでの前記給水管の中途に吸気手段を設けたことを特徴とするシャワー装置。
【請求項２】
請求項１記載のシャワー装置において、前記吸気手段を前記給水管の最上部位に設けたことを特徴とするシャワー装置。
【請求項３】
請求項１または請求項２の何れかに記載のシャワー装置において、前記吸気手段は、前記給水管の内を流れる湯水の圧力に応じて吸気口を開閉する開閉手段を設けたことを特徴とするシャワー装置。
【請求項４】
請求項３記載のシャワー装置において、前記開閉手段の上部に開口部を有する蓋を設けたことを特徴とするシャワー装置。
【請求項５】
請求項４記載のシャワー装置において、前記開口部は、前記蓋の外周側面部に少なくとも１つ以上の開口であることを特徴とするシャワー装置。
【請求項６】
請求項１から請求項５の何れかに記載のシャワー装置において、前記吸気手段より下流側の前記給水管の中途、または前記シャワーヘッドの湯水入口に逆止弁を設けたことを特徴とするシャワー装置。
【発明の詳細な説明】
【技術分野】
【０００１】
本発明は、シャワーヘッドが浴室内に固定設置されたシャワー装置において、配管内に残留した水を排出する機構に関するものである。尚、上記した「残留した水」は以下、「残水」と記すこととする。
【背景技術】
【０００２】
昨今の浴室の利用状況においては、若者や多忙な人を中心に、浴槽に入らずシャワーのみを利用する傾向が多数見られるようになった。そこで、浴槽に入ることなく短時間で充実した入浴時の爽快感を得ることを目的に、浴室内の天井や壁面などに固定された大型のシャワーヘッドを備えたシャワー装置が注目されている。
【０００３】
しかしながら、この大型のシャワーヘッドを備えたシャワー装置においては、給湯源、給水源からの湯水を混合して吐止水する湯水混合装置からシャワーヘッドまでの給水管の距離が長く、シャワーの使用を終え開閉弁を閉じ止水すると、多量の湯水が給水管を含めたシャワー装置内に残留してしまう。そして、シャワー装置内に湯水が残留したまま長時間使われなかった場合には、次の使用者がシャワーを浴びようと開閉弁を開くと冷たい残水が強制的に先に吐出してしまう。こうした場合、この大型のシャワーヘッドを備えたシャワー装置は手元の開閉弁を開くと頭部や腹部に多量の流水を浴びることを特徴としており、また、天井や壁面などに固定されているため、使用者はシャワーヘッドからの吐水温度を確認する間もなく強制的に大流量の冷たい残水を浴びることになり、結果、使用者に不快感を与えてしまう。よって大型のシャワーヘッドを備えたシャワー装置においては、シャワー装置内の残水を処理する残水処理機構の必要性が求められている。
【０００４】
上記のような問題点を抱えた天井や壁面などに固定された大型のシャワーヘッドを備えたシャワー装置に関して、シャワー装置内の残水や不意の冷水、熱水といった不適温水を排出する手段として、シャワーヘッドへの給水配管中途に排水管とシャワーの吐水時と止水時に応じて流路を切り替える残水処理機構を設け、止水時にはシャワー装置の給水配管内の残水を自動的に排水管に導く構造が開示されている。（例えば、特許文献１を参照のこと）
【特許文献１】特開２００２−３２０５６６号公報
【発明の開示】
【発明が解決しようとする課題】
【０００５】
しかしながら、シャワー装置内から残水を排出するには水を排出する排出口に加え、シャワー装置内に空気を吸入する吸気口の双方が必要であるのは自明であり、上記のようなシャワー装置の給水配管中途に残水処理機構を設け、止水時にシャワー装置の給水配管内の残水を自動的に排水管に導く構造では、自動的にシャワー散水穴もしくは排水管出口が吸気口となる。ここで、シャワー散水穴を吸気口とした場合、シャワー装置内に充満した水の表面張力を大気圧より小さくしなければ空気はシャワー装置内に吸入されない。よって、上記のような残水処理機構を採用する場合、水の表面張力を小さくするため、シャワー散水穴の穴径を大きくしたり、シャワーヘッドを一定値以上の傾きが保持されるようシャワー装置を設計しなくてはならない。
【０００６】
このような制限を加えシャワー散水穴の穴径を大きくすると、シャワー散水穴の穴径が小さい場合と同じシャワーヘッドのサイズではシャワー散水穴の数を減らさなければならず、身体に当たるシャワー流線の本数が少なくなってしまい、シャワーの浴び心地が損なわれてしまう。この問題の対策としてシャワーヘッドのサイズをより大きくすることが考えられるが、シャワーヘッドのサイズをより大きくするとシャワーヘッドの重量が大きくなってしまい、シャワーヘッド支持部の負荷が大きくなり、最悪の場合シャワーヘッドが外れ、落下してしまう等の新たな問題が発生してしまう。また、シャワー散水穴の穴径を大きくするとシャワー散水穴一つあたりの水圧が減少してしまい、シャワー散水穴の穴径が小さい場合と同じ給水圧力ではシャワーの当たり心地も損なわれてしまう。結果、給水圧力を大きくしなければならなくなり、設置条件が制限されてしまう。このように、上記のような排水構造では設置条件や設計条件を大幅に制限しなければスムーズに排水されない。
【０００７】
また、シャワー散水穴より空気を吸入すると、シャワーヘッド近傍の残水は重力により全てシャワー散水穴より排出されてしまうため、前述したシャワー散水穴の穴径や傾きによってはシャワーヘッドから長時間水が垂れ続けてしまう。このシャワーヘッドからの水垂れが長時間続くと、シャワー装置の品位を損なう、また、使用者がシャワー装置の故障や不具合と勘違いをしてしまうといった新たな問題も発生する。
【０００８】
排水管出口を吸気口と兼ねる方法も考えられるが、この場合もシャワー散水穴の場合と同じく水の表面張力を大気圧よりも小さくしなければならないため、大口径の排水管を使用しなければならなくなり、結果、設置場所が制限されるといった不具合が発生する。
【０００９】
そこで、本発明では上記のような問題点を解決するため、シャワーヘッドが浴室内に固定設置され、残水処理機構を備えたシャワー装置において、給水管内に残留した湯水を迅速かつ確実に排出でき、使用者が冷水を浴びることを防止できるとともに、シャワー吐水の使用感を損なうことなく、さらにシャワーヘッドからの断続的な水垂れを抑制できるシャワー装置を提供することを目的とする。
【課題を解決するための手段】
【００１０】
上記目的を達成する為、本発明の請求項１では浴室内に固定設置されたシャワーヘッドと、前記シャワーヘッドに湯水を供給する給水管と、前記給水管の中途より分岐して配設された排水管と、前記シャワーヘッドへの吐止水に応じて湯水の流れを、吐水時に前記シャワーヘッド、止水時に前記排水管へ切換える残水処理機構とを備えたシャワー装置において、前記残水処理機構から前記シャワーヘッドまでの前記給水管の中途に吸気手段を設けたことを特徴とするシャワー装置とした。
【００１１】
これにより、シャワー吐水が終了した後、残水処理機構が動作すると、従来技術のようなシャワー散水穴からの吸気に比べると、吸気手段から大流量の空気を瞬時にシャワー装置内に導くことができる。よって、設置条件や設計条件に関係なく給水管に残留した湯水を確実に排水管へ排水することができ、次の使用者が給水管に残留した冷たい湯水を浴びることを防止することができる。また、シャワーヘッド近傍に残留する湯水も速やかに排水するので、シャワーヘッドからの断続的な水垂れも防ぐことができ、シャワーの品位を向上させることができる。
【００１２】
本発明の請求項２では前記吸気手段を前記給水管の最上部位に設けたことを特徴とするシャワー装置とした。
【００１３】
これにより、請求項１の効果に加え、吸気手段は給水管内の水頭圧の影響を受けることがないので、シャワー吐水が終了した後、残水処理機構が動作するとほぼ同時に吸気手段から吸気を行い、効率的にシャワー装置内に空気を流入させることができ、シャワー装置の給水管内の残水を速やかに排水管に導くことができる。
【００１４】
本発明の請求項３では、前記吸気手段は、前記給水管の内を流れる湯水の圧力に応じて吸気口を開閉する開閉手段を設けたことを特徴とするシャワー装置ことを特徴とするシャワー装置とした。
【００１５】
これにより、湯水の圧力つまりシャワーヘッドへの吐水時には、吸気口を閉じ、シャワーヘッドへの止水時には、吸気口を開くので、シャワーヘッドへの止水時に、吸気口を開き、吸気手段から大流量の空気を瞬時にシャワー装置内に導くことができる。よって、設置条件や設計条件に関係なく給水管に残留した湯水を確実に排水管へ排水することができ、次の使用者が給水管に残留した冷たい湯水を浴びることを防止することができる。また、シャワーヘッド近傍に残留する湯水も速やかに排水するので、シャワーヘッドからの断続的な水垂れも防ぐことができ、シャワーの品位を向上させることができる。
【００１６】
本発明の請求項４では、前記開閉手段の上部に開口部を有する蓋を設けたことを特徴とするシャワー装置。
【００１７】
これにより、請求項３の効果に加え、開閉手段内部に外部のごみ等が侵入することを防ぐことができる他、ごみ噛みによる開閉手段からの水漏れ防止や開閉手段の作動性の低下防止、及び開閉手段の長寿命化を図ることができる。
【００１８】
本発明の請求項５では、前記開口部は、前記蓋の外周側面部に少なくとも１つ以上の開口であることを特徴とするシャワー装置とした。
【００１９】
これにより、請求項４の効果に加え、蓋の側面に吸気口を設けることで簡易的な構造で外部から落下するごみの侵入を確実に防止することができる。
【００２０】
本発明の請求項６では前記吸気手段より下流側の前記給水管の中途、または前記シャワーヘッドの湯水入口に逆止弁を設けたことを特徴とするシャワー装置とした。
【００２１】
これにより、シャワー吐水を終了した後、シャワー装置の給水管内の圧力が減少し逆止弁が閉じて吸気手段より下流側の給水管の残水や空気がシャワーヘッド側へ流れこむことがなく、シャワー散水穴に表面張力が働くため、シャワーヘッドからの断続的な水漏れをより確実に防止することができる。
【発明の効果】
【００２２】
以上により構成された本発明のシャワー装置は、給水管内に残留した湯水を迅速かつ確実に排出できるので、使用者がシャワー装置を使用の際、残留し冷めた湯水を浴びることを防止できるとともに、シャワー吐水の使用感を損なうことなく、さらにシャワーヘッドからの断続的な水垂れを抑制できるシャワー装置を提供することができる。
【発明を実施するための最良の形態】
【００２３】
以下に図面を参照して本発明をより具体的に説明する。図１は、本発明におけるシャワー装置１の第一実施例を概略的に示したものである。
シャワー装置１は、主として浴室内に固定設置されたシャワーヘッド２と、給水源７および給湯源８からの湯と水を混合し、所望の吐水温度の湯水を生成する湯水混合装置６と、湯水混合装置６とシャワーヘッド２を接続する給水管１０と給水管１０の任意の位置に上流側からシャワー開閉弁５、残水処理機構４、吸気手段３を備えている。そして、残水処理機構４には給水管１０内の残水を排水するための排水管１５が備えられている。
【００２４】
給水管１０は、湯水混合装置６からシャワー開閉弁５までの第一の給水管１４とシャワー開閉弁５から残水処理機構４までの第二の給水管１３と、残水処理機構４から吸気手段３までの第三の給水管１２と吸気手段３からシャワーヘッド２までの第四の給水管１１で構成されている。
【００２５】
湯水混合装置６は主に湯水が吐水されるスパウト６１、形状記憶合金ばねやワックスエレメント等を利用して装置内の弁体を摺動させるものやセラミック製のバルブを上下左右方向に摺動させて所望の温度に湯水を生成する湯水混合機構６２とスパウト開閉弁６３より構成されており、湯水混合機構６２で所望の吐水温度に設定された湯水を生成した後、スパウト開閉弁６３によりスパウト６１からの吐止水を切り替えるものである。また、湯水混合装置６には第一の給水管１４が接続されており、湯水の供給がスパウト６１側とシャワーヘッド２側へ分岐され、第一の給水管１４には常時湯水が通水された状態になっている。
【００２６】
残水処理機構４は、所定の給水圧力以上になると弁体が閉じ、所定の給水圧力以下では弁体が開く弁装置であり、第二の給水管１４、第三の給水管１３、排水管１５が接続されている。これによって、シャワー開閉弁５を開き湯水を通水すると給水圧力によって弁装置の弁体が排水管１５側を閉じてシャワーヘッド２から吐水され、シャワー開閉弁５を閉じると給水管１０内の圧力が低下し、弁装置の弁体がばね等の付勢力や残水の重量によって開いて、給水管１０内の残水が排水管１５から排出されるものである。尚、残水処理機構４は上記の弁装置に限定されることなく、例えば、使用者が必要に応じてシャワー吐水時に第二の給水管１３と第三の給水管１２が連通し、シャワー止水を行い、給水管１０内の残水を排水する時には、第三の給水管１２と排水管１５が連通し、給水管内の残水を排出するように切換える切換え弁装置や手動で開閉する開閉弁装置や電気的に開閉する電磁弁を用いてもよい。
【００２７】
次に、吸気手段３は、図２に示すように弁ユニット３１、シリンダー３２、蓋３３とで構成されている。弁ユニット３１は、給水管１２の内を流れる湯水の圧力に応じて吸気口３５を開閉する開閉手段である。
【００２８】
シリンダー３２は、略椀状であって、上方から弁ユニット３１を挿入することで弁ユニット３１を外部環境から保護する役割を担っている。下方側の内部はシャワー開閉弁５を開いた際に湯水が弁ユニット３１内に流入されるよう開口部を設けていると共に外周部には雄ネジ部を設け、シールテープ等のシール材を用いて第三の給水管１２と螺合するようになっている。
【００２９】
蓋３３は、ごみ等が弁ユニット３１内に侵入しないよう弁ユニット３１を保護するとともに、弁ユニット３１をシリンダー３２に挿入した後、弁ユニット３１を固定するために上方からシリンダー３２に取り付けるものである。そして蓋３３には、シャワー装置１内に空気を流入するための開口穴を設ける必要があるが、図３に示すように蓋３３の外周側面部に開口穴３３１を水平方向に少なくとも１つ以上設けることで簡易的な構造の蓋３３を作成することができる。更には、図４に示すように蓋３３の上面部にごみの侵入を防ぐような小さい開口穴３３１を複数設けたり、大きな開口穴を設け網状の保護部材を設けてもよい。
【００３０】
次に、弁ユニット３１の構成について図５を用いて説明する。弁ユニット３１は、弁体３１０、ガイド部材３１１、シート部材３１２、ばね３１３より構成される。
弁体３１０は、ガイド部材３１１側に、シャワー吐水時に給水圧力を受圧するつば状の受圧部３１４と受圧部３１４の中心軸上にはガイド部材３１１側に延びる軸棒３１５を備えている。軸棒３１５はガイド部材３１１の中心部に備えられた弁体ガイド３１７内に挿通し、受圧時に弁体３１０を正しく鉛直方向に押し上げるためのものである。
また、シート部材３１２上方に開口した吸気口３５側には、シャワー吐水時に吸気口３５からの漏水を防止する一般的なＯリング３１６を備えている。
【００３１】
ガイド部材３１１は、図６に示すように外周部３６から中央に向けて複数本の梁３７で支えられた弁体ガイド３１７を設け、弁体ガイド３１７は、外周部よりある程度高く形成している。これによって、弁体３１０が弁体ガイド３１７に着座したときに空気の流入経路を確実に確保できるようにしている。また、弁体ガイド３１７の周囲で梁３７と梁３７の間は湯水流入口３４が形成されている。
【００３２】
シート部材３１２上方には空気の流入口となる吸気口３５と、吸気口３５の内周側には弁体３１０のＯリング３１６がシャワー吐水時に接触するシート面３１８を備えている。シート面３１８は、弁体３１０が傾いて上昇した場合でも弁体３１０の傾きを矯正させるようにテーパ形状となっている。
【００３３】
ばね３１３はシート部材３１２と受圧部３１４の間隙に配置されており、およそ０．０５ＭＰa以下の圧力にて弁体３１０を押圧するように形成されている。そのため、通常弁体３１０は、シート面３１８から離れたところに位置している。
【００３４】
そして、このように構成された吸気手段３を残水処理機構４の下流側に設置することで、給水管１０内（本実施例では第三の給水管１２と第四の給水管１１）の残水を確実に排水管１５に排水することができるが、吸気手段３をシャワー装置１の給水管１０の最も高い位置となる第三の給水管１２の上部に設置することで、吸気手段３が給水管１０内の水頭圧の影響を受けず、より効率的に給水管１０内の残水を排水することができる。また、第三の給水管１２の上部に設置すると吸気手段３が第三の給水管１２と同化しシャワー装置１としての意匠性を損なうこともなく意匠面でも好適である。更には、吸気手段３を第四の給水管１１の上部に設置しても第三の給水管１２の上部に設置される場合と同様の効果を発揮することは言うまでもなく、この場合、第三の給水管１２が浴室の壁裏に設置された場合等に弁ユニット３１のメンテナンスを容易に行うことができ、好適である。
【００３５】
尚、吸気手段３は上記のように弁ユニット３１をシリンダー３２、蓋３３に組込んで給水管１０に接続する構成としたが、弁ユニット３１を直接給水管１０に接続しても上記と同様の効果を奏するが、弁ユニット３１内へのごみ等の流入を防止したり、弁ユニット３１をメンテナンスすることを考慮すると吸気手段３は上記のような構成にすることのほうが好適といえる。
【００３６】
次に、上記のような構造を有した吸気手段３をシャワー装置１の第三の給水管１２に設置したときの吸気手段３の動作について説明する。図７はシャワー装置１の第三の給水管１２、第四の給水管１１、吸気手段３の接合部を拡大したものであり、シャワー開閉弁５を開弁し、シャワーヘッド２より吐水する場合の弁ユニット３１の動きを示したものである。尚、図中のＡはシャワーヘッド２へ供給する湯水の流れを示している。
【００３７】
使用者はシャワーヘッド２から湯水を吐水させる場合、まず、湯水混合装置６で所望の温度を設定した後、シャワー開閉弁５を開く。そうすると湯水混合装置６により所定の温度に混合された湯水が、第二の給水管１３、残水処理機構４、第三の給水管１２、第四の給水管１１を通ってシャワーヘッド２から吐水され、使用者はシャワーを浴びることができる。このとき、残水処理機構４の弁装置は、湯水の通水圧力によって弁体が閉じて排水管１５側へ湯水が流れ込むことはない。また、吸気手段３内にもシリンダー３２の開口部から湯水流入口３４を通って弁ユニット３１内に湯水が流入する。そして、弁ユニット３１内に流入した湯水は、ばね３１３の付勢力以上の給水圧力（０．０５ＭＰa以上）を有しているため、弁体３１０の受圧部３１４を押圧し、弁体３１０のＯリング３１６がシート面３１８に当接するまで弁体３１０を上方向に押し上げる。その結果、吸気口３５は閉口され、吸気口３５からの湯水の流出を防止するようになっている。
【００３８】
図８はシャワー装置１の第三の給水管１２、第四の給水管１１、吸気手段３の接合部を拡大したものであり、シャワー開閉弁５を閉弁し、シャワーヘッド２からの吐水を終了した場合の弁ユニット３１の動きを示したものである。尚、図中の矢印Ａは第三の給水管１２、第四の給水管１１に残留した湯水の流れを、矢印Ｂは吸気手段３からの空気の流れを示している。
【００３９】
使用者がシャワーヘッド２からの吐水を終了する場合、シャワー開閉弁５を閉じると、第三の給水管１２と第四の給水管１１内に残留した湯水の圧力が徐々に低下していくと同時に、残水処理機構４内、弁ユニット３１内の湯水の圧力も低下する。残水処理機構４の弁装置内が所定の圧力以下になると、弁体が開いてさらに給水管１０内の圧力が低下する。そして、弁ユニット３１内のばね３１３の付勢力（０．０５ＭＰａ）以下になると、ばね３１３の付勢力によって弁体３１０を鉛直下方に押し下げ、弁体３１０のＯリング３１６がシート面３１８から離れ、吸気口３５が開口することになる。その結果、図８に示す矢印Ｂのように空気が蓋３３の開口穴３３１から吸気口３５を通って、弁ユニット３１内に流入する。流入した空気によって、第三の給水管１２、第四の給水管１１内の残水は残水処理機構４を介して排水管１５へ押し流されるか、または、第四の給水管１１内の残水の一部はシャワーヘッド２側へ流れシャワー散水穴から押し流されることになる。その結果、シャワー装置１の給水管１０内の残水を積極的に排出することができ、次の使用者がシャワーを浴びる際、給水管１０内の残水を浴びることを防止できる。
【００４０】
尚、本発明のシャワー装置１は上記の実施例に限定されることなく、例えば、湯水混合装置６のスパウト開閉弁６３とシャワー開閉弁５を別々に設けているが、湯水の吐水をスパウト６１やシャワーヘッド２に切換えたり、止水を行なうことができる切換え開閉弁としてもよい。また、弁装置である残水処理機構４を給水管１０の中途に取付けているが、図９に示すように上記した切換え開閉弁５１を用い、残水処理機構４を給水管１０の下部に取付けてもよい。これにより、排水管１５を別途設ける必要がなくシャワー装置１の構成が簡略化するとともに排水管１５の設置にかかる場所などの問題を解決することができる。
【００４１】
次に、第一の実施形態に逆止弁を設けた第二実施形態のシャワー装置１について図を用いて説明する。図１０は、第一の実施形態であるシャワー装置１の第四の給水管１１でシャワーヘッド２近傍、つまり、吸気手段３より下流側の給水管１１の中途に逆止弁１０１を設置した図を示している。尚、逆止弁１０１をシャワーヘッドの湯水入口に設けてもよい。
【００４２】
これによって、使用者がシャワーヘッド２からの吐水を終了させ、残水処理機構４によって第三の給水管１２、第四の給水管１１と排水管１５を連通するように切換えると上記と同様、第三の給水管１２と第四の給水管１１内に残留した湯水の圧力が徐々に低下していくと同時に、弁ユニット３１内の湯水の圧力も低下し、湯水の圧力がばね３１３の付勢力（０．０５ＭＰａ）以下になると、ばね３１３の付勢力によって弁体３１０を鉛直下方に押し下げ、弁体３１０のＯリング３１６がシート面３１８から離れ、吸気口３５が開口することになる。その結果、空気が蓋３３の開口穴３３１から吸気口３５を通って弁ユニット３１内に流入する。そして流入した空気によって、第三の給水管１２、第四の給水管１１内に残留した湯水は残水処理機構４を介して排水管１５へ流れ出すことになる。
【００４３】
一方、第三の給水管１２、第四の給水管１１内に残留した湯水の圧力の低下に伴い、逆止弁１０１内に残留する湯水の水圧も低下し、逆止弁の弁体が閉じることになる。これによって、第四の給水管１１内に残留した湯水がシャワーヘッド２側へ流れ込むことがない。その結果、シャワーヘッド２内に残留する湯水は、表面張力によってシャワーヘッド２
内に残留することになり、シャワーヘッド２から水垂れすることがなく、シャワー装置１としての品位を確保することができる。尚、シャワーヘッド２内に残留する湯水はごく少量であり、次の使用者がシャワーを浴びようとして、シャワー吐水しても不快感を感じるほどのものではない。
【００４４】
尚、本件発明に用いた吸気手段３は、同様の作用効果を奏するものであれば、如何なる構造であっても構わないことは言うまでもないことである。
【図面の簡単な説明】
【００４５】
【図１】本件発明におけるシャワー装置を示す。
【図２】本件発明における吸気手段の設置状態の拡大図を示す。
【図３】本件発明における吸気手段の蓋を示す。
【図４】本件発明における別の一実施の形態である吸気手段の蓋を示す。
【図５】本件発明における弁ユニットの詳細図を示す。
【図６】本件発明における弁ユニットのガイド部材の下面図を示す。
【図７】本件発明におけるシャワー吐水時の弁ユニットの動作を示す。
【図８】本件発明におけるシャワー止水時の弁ユニットの動作を示す。
【図９】本件発明における別の一実施の形態であるシャワー装置を示す。
【図１０】本件発明におけるシャワーヘッド近傍に逆止弁を設けた場合の図を示す。
【符号の説明】
【００４６】
１…シャワー装置
２…シャワーヘッド
３…吸気手段
４…残水処理機構
５…シャワー開閉弁
６…湯水混合装置
７…給水源
８…給湯源
１０…給水管
１１…第四の給水管
１２…第三の給水管
１３…第二の給水管
１４…第一の給水管
１５…排水管
３１…弁ユニット
３２…シリンダー
３３…蓋
３４…湯水流入口
３５…吸気口
３６…外周部
３７…梁
５１…切換え開閉弁
６１…スパウト
６２…湯水混合機構
６３…スパウト開閉弁
１０１…逆止弁
３１０…弁体
３１１…ガイド部材
３１２…シート部材
３１３…ばね
３１４…受圧部
３１５…軸棒
３１６…Ｏリング
３１７…弁体ガイド
３１８…シート面
３３１…開口穴
Ａ…装置内の湯水の流れ
Ｂ…装置内の空気の流れ
【図１】
2005213793.tif 000003
【図２】
2005213793.tif 000004
【図５】
2005213793.tif 000005
【図６】
2005213793.tif 000006
【図７】
2005213793.tif 000007
【図８】
2005213793.tif 000008
【図９】
2005213793.tif 000009
【図１０】
2005213793.tif 000010
【図３】
2005213793.tif 000011
【図４】
2005213793.tif 000012